(57)【要約】【課題】通信されてきた情報のうち、重要性の高い情報を優先的にユーザに提供することができる通信管理装置を提供する。【解決手段】人物特定情報付与部１５０は、通信先情報記憶部１１０に記憶されているメールアドレス及び電話番号に基づいて、メール記憶部１３０が記憶しているメールに人物特定情報を付与するとともに、着信記憶部１４０が記憶している着信情報に人物特定情報を付与する。通信分類部１６０は、人物特定情報別にメール及び着信情報を分類する。表示方法定義部１７０は、重要度記憶部１２０が記憶している重要度情報に基づいて、人物特定情報別に分類されたメール及び着信情報の表示方法を定め、定めた表示方法を示す表示方法情報を生成する。【選択図】図２
2010114726.tif 000002
【特許請求の範囲】
【請求項１】
ユーザの受信メール及び通話着信を管理する通信管理装置であって、
複数の通信相手それぞれのメールアドレス及び電話番号を、前記通信相手を特定する人物特定情報に対応付けて記憶する通信先情報記憶手段と、
前記複数の人物特定情報それぞれごとに、当該人物特定情報に対応する前記通信相手の重要度を示す重要度情報を記憶する重要度記憶手段と、
前記ユーザに送信されたメールを、送信元の前記メールアドレスに対応付けて記憶するメール記憶手段と、
前記ユーザへの通話着信を示す着信情報を、発信元の前記電話番号に対応付けて記憶する着信記憶手段と、
前記通信先情報記憶手段に記憶されている前記メールアドレス及び前記電話番号に基づいて、前記メール記憶手段が記憶している前記メールに前記人物特定情報を付与するとともに、前記着信記憶手段が記憶している前記着信情報に前記人物特定情報を付与する人物特定情報付与手段と、
前記人物特定情報別に前記メール及び前記着信情報を分類する通信分類手段と、
前記重要度記憶手段が記憶している前記重要度情報に基づいて、前記人物特定情報別に分類された前記メール及び前記着信情報の表示方法を定める表示方法定義手段と、
を備える通信管理装置。
【請求項２】
請求項１に記載の通信管理装置において、
前記ユーザから前記人物特定情報別の前記重要度情報が入力される入力手段を備え、
前記重要度記憶手段は、前記入力手段に入力された前記重要度情報を記憶する通信管理装置。
【請求項３】
請求項１に記載の通信管理装置において、
前記人物特定情報別の前記メール及び前記着信情報の数に基づいて、前記人物特定情報別の前記重要度情報を生成する重要度情報生成手段を備える通信管理装置。
【請求項４】
請求項１に記載の通信管理装置において、
前記通信先情報記憶手段は、前記人物特定情報別に、前記通信相手の所在及び属性の少なくとも一方を示す人物情報を記憶しており、
前記通信先情報記憶手段が記憶している前記人物情報に基づいて、前記人物特定情報別の前記重要度情報を生成する重要度情報生成手段と、
を備える通信管理装置。
【請求項５】
請求項１に記載の通信管理装置において、
前記重要度情報を生成するためのキーワードを少なくとも一つ記憶するキーワード記憶手段と、
前記メール記憶手段が記憶している前記メールに含まれる前記キーワードの数を、前記人物特定情報別に集計し、この集計結果に基づいて前記人物特定情報別の前記重要度情報を生成する重要度情報生成手段と、
を備える通信管理装置。
【請求項６】
請求項１〜５のいずれか一つに記載の通信管理装置において、
前記通信先情報記憶手段は、前記複数の通信相手それぞれのインスタントメッセージアドレスを前記人物特定情報に対応付けて記憶し、
前記ユーザに送信されたインスタントメッセージを、送信元の前記インスタントメッセージアドレスに対応付けて記憶するメッセージ記憶手段を備え、
前記人物特定情報付与手段は、前記メッセージ記憶手段が記憶している前記インスタントメッセージに前記人物特定情報を付与し、
前記通信分類手段は、前記人物特定情報別に前記メール、前記着信情報、及び前記インスタントメッセージを分類し、
前記表示方法定義手段は、前記人物特定情報別に分類された前記メール、前記着信情報、及び前記インスタントメッセージの表示方法を定める通信管理装置。
【請求項７】
請求項１〜６のいずれか一つに記載の通信管理装置において、
前記表示方法定義手段が定めた表示方法を示す表示方法情報、並びに前記人物特定情報別に分類された前記メール及び前記着信情報を、前記ユーザが使用するユーザ端末に送信する送信手段をさらに備える通信管理装置。
【請求項８】
請求項１〜６のいずれか一つに記載の通信管理装置において、
前記表示方法定義手段が定めた表示方法に従って、前記メール及び前記着信情報を前記人物特定情報別に表示する表示手段を備える通信管理装置。
【請求項９】
請求項１〜８のいずれか一つに記載の通信管理装置において、
前記重要度情報は、前記通信相手の重要度を示す数値であり、
前記表示方法定義手段は、前記重要度情報が予め定められた範囲以外の数値を示している前記人物特定情報を選択し、選択した前記人物特定情報に分類された前記メール及び前記着信情報が、表示画面の中で予め定められた位置に表示されるようにする通信管理装置。
【請求項１０】
ユーザの受信メール及び通話着信を管理する通信管理装置から、前記受信メール及び通話着信の履歴を示す履歴情報を受信して表示するユーザ端末であって、
前記通信管理装置は、複数の通信相手からの前記ユーザに対する受信メール及び通話着信を、前記複数の通信相手それぞれを特定する人物特定情報を用いて管理しており、
前記通信管理装置から、前記人物特定情報別に分類された前記メール及び前記着信情報の表示方法を示す表示方法情報、並びに前記人物特定情報別に分類された前記メール及び前記着信情報を受信する履歴受信手段と、
前記表示方法情報に基づいて、前記メール及び前記着信情報を前記人物特定情報別に表示する表示手段と、
を備えるユーザ端末。
【請求項１１】
ユーザの受信メール及び通話着信を管理する通信管理方法であって、
コンピュータが、複数の通信相手それぞれのメールアドレス及び電話番号を、前記通信相手を特定する人物特定情報に対応付けて記憶し、
前記コンピュータが、前記複数の人物特定情報それぞれごとに、当該人物特定情報に対応する前記通信相手の重要度を示す重要度情報を記憶し、
前記コンピュータが、前記ユーザに送信されたメールを、送信元の前記メールアドレスに対応付けて記憶し、
前記コンピュータが、前記ユーザへの通話着信を示す着信情報を、発信元の前記電話番号に対応付けて記憶し、
前記コンピュータが、前記メールアドレス及び前記電話番号に基づいて、前記メール及び前記着信情報に前記人物特定情報を付与し、前記人物特定情報別に前記メール及び前記着信情報を分類し、
前記コンピュータが、記憶している前記重要度情報に基づいて、前記人物特定情報別に分類された前記メール及び前記着信情報の表示方法を定める通信管理方法。
【請求項１２】
ユーザ端末が、ユーザの受信メール及び通話着信を管理する通信管理装置から、前記受信メール及び前記通話着信の履歴を示す履歴情報を受信して表示する履歴表示方法であって、
前記通信管理装置は、複数の通信相手からの前記ユーザに対する前記受信メール及び前記通話着信を、前記複数の通信相手それぞれを特定する人物特定情報を用いて管理しており、
前記ユーザ端末が、前記通信管理装置から、前記人物特定情報別に分類された前記メール及び前記着信情報の表示方法を示す表示方法情報、並びに前記人物特定情報別に分類された前記メール及び前記着信情報を受信し、
前記ユーザ端末が、前記表示方法情報に基づいて、前記メール及び前記着信情報を前記人物特定情報別に表示する履歴表示方法。
【請求項１３】
コンピュータを、ユーザの受信メール及び通話着信を管理する通信管理装置として機能させるプログラムであって、
前記コンピュータに、
複数の通信相手それぞれのメールアドレス及び電話番号を、前記通信相手を特定する人物特定情報に対応付けて記憶する機能と、
前記複数の人物特定情報それぞれごとに、当該人物特定情報に対応する前記通信相手の重要度を示す重要度情報を記憶する機能と、
前記ユーザに送信されたメールを、送信元の前記メールアドレスに対応付けて記憶する機能と、
前記ユーザへの通話着信を示す着信情報を、発信元の前記電話番号に対応付けて記憶する機能と、
前記メールアドレス及び前記電話番号に基づいて、記憶している前記メールに前記人物特定情報を付与するとともに、記憶している前記着信情報に前記人物特定情報を付与し、前記人物特定情報別に前記メール及び前記着信情報を分類する機能と、
記憶している前記重要度情報に基づいて、前記人物特定情報別に分類された前記メール及び前記着信情報の表示方法を定める機能と、
を実現させるプログラム。
【請求項１４】
コンピュータを、ユーザの受信メール及び通話着信を管理する通信管理装置から、前記受信メール及び前記通話着信の履歴を示す履歴情報を受信して表示するユーザ端末として機能させるためのプログラムであって、
前記通信管理装置は、複数の通信相手からの前記ユーザに対する前記受信メール及び前記通話着信を、前記複数の通信相手それぞれを特定する人物特定情報を用いて管理しており、
前記コンピュータに、
前記通信管理装置から、前記人物特定情報別に分類された前記メール及び前記着信情報の表示方法を示す表示方法情報、並びに前記人物特定情報別に分類された前記メール及び前記着信情報を受信する機能と、
前記表示方法情報に基づいて、前記メール及び前記着信情報を前記人物特定情報別に表示する機能と、
を実現させるプログラム。
【発明の詳細な説明】
【技術分野】
【０００１】
本発明は、ユーザの受信メール及び通話着信を管理する通信管理装置、ユーザ端末、通信管理方法、履歴表示方法、及びプログラムに関する。
【背景技術】
【０００２】
他人と通信を行う手段としては、以前は電話がほとんどであった。しかし近年は通信手段の多様化が進み、メールも普及している。一方、近年は、例えばデスクワークを行う場合において、他人と通信を行う回数が増加しているため、通信履歴を電子的に管理するようになっている。通常は、通信手段別に通信履歴が管理されている。
【０００３】
一方、特許文献１には、通信の種類を問わずに相手ごとに通信の履歴を表示する技術が開示されている。
【特許文献１】特開２００４−２５９１９４号公報
【発明の開示】
【発明が解決しようとする課題】
【０００４】
上記したように、近年は他人と通信を行う回数が増加している。一方、通信される情報には、重要性の高さに差がある場合がほとんどである。このため、受信メール及び通話着信を着信順に処理するのでは、情報の処理効率が低くなっていた。
【０００５】
本発明は上記事情に鑑みてなされたものであり、その目的とするところは、通信されてきた情報のうち、重要性の高い情報を優先的にユーザに提供することができる通信管理装置、ユーザ端末、通信管理方法、履歴表示方法、及びプログラムを提供することにある。
【課題を解決するための手段】
【０００６】
本発明によれば、ユーザの受信メール及び通話着信を管理する通信管理装置であって、
複数の通信相手それぞれのメールアドレス及び電話番号を、前記通信相手を特定する人物特定情報に対応付けて記憶する通信先情報記憶手段と、
前記複数の人物特定情報それぞれごとに、当該人物特定情報に対応する前記通信相手の重要度を示す重要度情報を記憶する重要度記憶手段と、
前記ユーザに送信されたメールを、送信元の前記メールアドレスに対応付けて記憶するメール記憶手段と、
前記ユーザへの通話着信を示す着信情報を、発信元の前記電話番号に対応付けて記憶する着信記憶手段と、
前記通信先情報記憶手段に記憶されている前記メールアドレス及び前記電話番号に基づいて、前記メール記憶手段が記憶している前記メールに前記人物特定情報を付与するとともに、前記着信記憶手段が記憶している前記着信情報に前記人物特定情報を付与する人物特定情報付与手段と、
前記人物特定情報別に前記メール及び前記着信情報を分類する通信分類手段と、
前記重要度記憶手段が記憶している前記重要度情報に基づいて、前記人物特定情報別に分類された前記メール及び前記着信情報の表示方法を定める表示方法定義手段と、
を備える通信管理装置が提供される。
【０００７】
本発明によれば、ユーザの受信メール及び通話着信を管理する通信管理装置から、前記受信メール及び通話着信の履歴を示す履歴情報を受信して表示するユーザ端末であって、
前記通信管理装置は、複数の通信相手からの前記ユーザに対する受信メール及び通話着信を、前記複数の通信相手それぞれを特定する人物特定情報を用いて管理しており、
前記通信管理装置から、前記人物特定情報別に分類された前記メール及び前記着信情報の表示方法を示す表示方法情報、並びに前記人物特定情報別に分類された前記メール及び前記着信情報を受信する履歴受信手段と、
前記表示方法情報に基づいて、前記メール及び前記着信情報を前記人物特定情報別に表示する表示手段と、
を備えるユーザ端末が提供される。
【０００８】
本発明によれば、ユーザの受信メール及び通話着信を管理する通信管理方法であって、
コンピュータが、複数の通信相手それぞれのメールアドレス及び電話番号を、前記通信相手を特定する人物特定情報に対応付けて記憶し、
前記コンピュータが、前記複数の人物特定情報それぞれごとに、当該人物特定情報に対応する前記通信相手の重要度を示す重要度情報を記憶し、
前記コンピュータが、前記ユーザに送信されたメールを、送信元の前記メールアドレスに対応付けて記憶し、
前記コンピュータが、前記ユーザへの通話着信を示す着信情報を、発信元の前記電話番号に対応付けて記憶し、
前記コンピュータが、前記メールアドレス及び前記電話番号に基づいて、前記メール及び前記着信情報に前記人物特定情報を付与し、前記人物特定情報別に前記メール及び前記着信情報を分類し、
前記コンピュータが、記憶している前記重要度情報に基づいて、前記人物特定情報別に分類された前記メール及び前記着信情報の表示方法を定める通信管理方法が提供される。
【０００９】
本発明によれば、ユーザ端末が、ユーザの受信メール及び通話着信を管理する通信管理装置から、前記受信メール及び前記通話着信の履歴を示す履歴情報を受信して表示する履歴表示方法であって、
前記通信管理装置は、複数の通信相手からの前記ユーザに対する前記受信メール及び前記通話着信を、前記複数の通信相手それぞれを特定する人物特定情報を用いて管理しており、
前記ユーザ端末が、前記通信管理装置から、前記人物特定情報別に分類された前記メール及び前記着信情報の表示方法を示す表示方法情報、並びに前記人物特定情報別に分類された前記メール及び前記着信情報を受信し、
前記ユーザ端末が、前記表示方法情報に基づいて、前記メール及び前記着信情報を前記人物特定情報別に表示する履歴表示方法が提供される。
【００１０】
本発明によれば、コンピュータを、ユーザの受信メール及び通話着信を管理する通信管理装置として機能させるプログラムであって、
前記コンピュータに、
複数の通信相手それぞれのメールアドレス及び電話番号を、前記通信相手を特定する人物特定情報に対応付けて記憶する機能と、
前記複数の人物特定情報それぞれごとに、当該人物特定情報に対応する前記通信相手の重要度を示す重要度情報を記憶する機能と、
前記ユーザに送信されたメールを、送信元の前記メールアドレスに対応付けて記憶する機能と、
前記ユーザへの通話着信を示す着信情報を、発信元の前記電話番号に対応付けて記憶する機能と、
前記メールアドレス及び前記電話番号に基づいて、記憶している前記メールに前記人物特定情報を付与するとともに、記憶している前記着信情報に前記人物特定情報を付与し、前記人物特定情報別に前記メール及び前記着信情報を分類する機能と、
記憶している前記重要度情報に基づいて、前記人物特定情報別に分類された前記メール及び前記着信情報の表示方法を定める機能と、
を実現させるプログラムが提供される。
【００１１】
本発明によれば、コンピュータを、ユーザの受信メール及び通話着信を管理する通信管理装置から、前記受信メール及び前記通話着信の履歴を示す履歴情報を受信して表示するユーザ端末として機能させるためのプログラムであって、
前記通信管理装置は、複数の通信相手からの前記ユーザに対する前記受信メール及び前記通話着信を、前記複数の通信相手それぞれを特定する人物特定情報を用いて管理しており、
前記コンピュータに、
前記通信管理装置から、前記人物特定情報別に分類された前記メール及び前記着信情報の表示方法を示す表示方法情報、並びに前記人物特定情報別に分類された前記メール及び前記着信情報を受信する機能と、
前記表示方法情報に基づいて、前記メール及び前記着信情報を前記人物特定情報別に表示する機能と、
を実現させるプログラムが提供される。
【発明の効果】
【００１２】
本発明によれば、通信されてきた情報のうち、重要性の高い情報を優先的にユーザに提供することができる。
【発明を実施するための最良の形態】
【００１３】
以下、本発明の実施形態について、図面を用いて説明する。尚、すべての図面において、同様な構成要素には同様の符号を付し、適宜説明を省略する。
【００１４】
図１は、第１の実施形態における通信管理システムの構成を示す図である。この通信システムは、通信管理装置１００、並びに複数のユーザ端末３００及び電話端末５００を備える。ユーザ端末３００は、公衆通信網１０及び通信管理装置１００を介して、相手端末６００または他のユーザ端末３００からユーザ宛に送信されてきたメールを受信する。電話端末５００は、公衆通信網１０及び通信管理装置１００を介して、他の電話端末５００又は相手端末６００と通話する。通信管理装置１００は、メール及び通話の中継処理を行うとともに、ユーザ別に受信メール及び通話着信を管理する。そして通信管理装置１００は、受信メールの送信元及び通話着信の発信元を示す人物特定情報別に、通話着信を示す着信情報及びメールを分類し、その表示方法を定める。ユーザ端末３００は、通信管理装置１００が定めた表示方法に従って、人物特定情報別に着信情報及びメールを表示する。
【００１５】
なお、相手端末６００は、コンピュータ端末と電話端末の双方を含んでいても良いし、これらのいずれか一方であっても良い。また相手端末６００は、メール機能と通話機能を有する携帯通信端末であっても良い。また公衆通信網１０は、例えばインターネット網であるが、インターネット網及び電話回線網であってもよい。
【００１６】
図２は、通信管理装置１００の構成を示すブロック図である。通信管理装置１００は、通信先情報記憶部１１０、重要度記憶部１２０、メール記憶部１３０、着信記憶部１４０、人物特定情報付与部１５０、通信分類部１６０、及び表示方法定義部１７０を備える。通信先情報記憶部１１０は、複数の通信相手それぞれのメールアドレス及び電話番号を、通信相手を特定する人物特定情報に対応付けて記憶する。重要度記憶部１２０は、複数の人物特定情報それぞれごとに、当該人物特定情報に対応する通信相手の重要度を示す重要度情報を記憶する。メール記憶部１３０は、ユーザに送信されたメールを、送信元のメールアドレスに対応付けて記憶する。着信記憶部１４０は、ユーザへの通話着信を示す着信情報を、発信元の電話番号に対応付けて記憶する。人物特定情報付与部１５０は、通信先情報記憶部１１０に記憶されているメールアドレス及び電話番号に基づいて、メール記憶部１３０が記憶しているメールに人物特定情報を付与するとともに、着信記憶部１４０が記憶している着信情報に人物特定情報を付与する。通信分類部１６０は、人物特定情報別にメール及び着信情報を分類する。表示方法定義部１７０は、重要度記憶部１２０が記憶している重要度情報に基づいて、人物特定情報別に分類されたメール及び着信情報の表示方法を定め、定めた表示方法を示す表示方法情報を生成する。
【００１７】
表示方法情報が示す表示方法としては、例えばまず複数の通信相手それぞれを選択可能に表示する通信相手表示を行い、通信相手表示において通信相手が選択されると、選択された通信相手に対応するメール及び着信情報を表示する方法がある。そして通信相手表示において、重要度が高い通信相手ほど相対的に大きく表示するようにする。表示方法情報は、どの通信相手を相対的に大きく表示するかを示す情報を含んでいる。
【００１８】
通信管理装置１００は、さらに、入力部１２２、メール処理部１３５、電話中継部１４５、及び送信部１８０を備える。
【００１９】
入力部１２２は、ユーザから人物特定情報別の重要度情報が入力される。そして重要度記憶部１２０は、入力部１２２に入力された重要度情報を記憶する。
【００２０】
メール処理部１３５は、あるユーザ端末３００のユーザに送信されてきたメールをそのユーザ端末３００に送信し、かつあるユーザ端末３００から送信されてきたメールを他のユーザ端末３００や相手端末６００に送信する。またメール処理部１３５は、ユーザそれぞれごとに、そのユーザに送信されてきたメールを送信元のメールアドレスに対応付けてメール記憶部１３０に記憶させる。
【００２１】
電話中継部１４５は、ある電話端末５００と他の電話端末５００又は相手端末６００との間の通話の中継処理を行う。また電話中継部１４５は、ユーザそれぞれごとに、そのユーザへの通話着信を示す着信情報を、発信元の電話番号に対応付けて着信記憶部１４０に記憶させる。
【００２２】
送信部１８０は、表示方法定義部１７０が定めた表示方法を示す表示方法情報、並びに人物特定情報別に分類されたメール及び着信情報をユーザ端末３００に送信する。
【００２３】
図３は、通信先情報記憶部１１０が記憶しているデータをテーブル形式で示す図である。通信先情報記憶部１１０は、ユーザ識別情報それぞれごとに、そのユーザ識別情報が示すユーザが通信する可能性のある人物に関する情報を記憶している。人物に関する情報は、例えば人物特定情報、氏名、属性、所在、メールアドレス、及び電話番号であり、これらは互いに対応付けて記憶されている。
【００２４】
属性は、ユーザ識別情報が示すユーザに対して、その人物がどのような立場の人であるかを示す情報であり、例えば上司、同僚、取引先などである。属性は、例えばユーザの入力に基づいて定められる。
【００２５】
所在は、例えばその人物がユーザと同じ会社の同じグループに属している場合において、その人物が現在在席しているか、会議中であるか、又は外出中であるかなどを示す情報である。電話番号は、内線でも良いし外線でも良い。なお、通信先情報記憶部１１０は、たとえばその人物のスケジュールを示すスケジュールデータを外部から取得することにより、所在を更新しても良い。
【００２６】
図４は、重要度記憶部１２０が記憶しているデータをテーブル形式で示す図である。重要度記憶部１２０は、人物特定情報それぞれを重要度の順位を示す数値に対応付けたテーブルを、ユーザ識別情報別に記憶している。すなわち重要度記憶部１２０は、ユーザごとに、そのユーザが通信する可能性のある人物の重要度を順位付けした情報を記憶している。本図に示す例では、重要度を示す数値が小さいほど、重要度が高いことを示している。
【００２７】
図５は、メール記憶部１３０が記憶しているデータをテーブル形式で示す図である。メール記憶部１３０は、ユーザ識別情報別（すなわちユーザ別）に、そのユーザのメールアドレス、そのユーザに送信されてきたメール、及びメールの送信元の人物特定情報を互いに対応付けて記憶している。メール記憶部１３０が記憶しているメールには、送信元アドレス、受信日時、タイトルを示す文書データ、及び本文を示す文書データが含まれている。
【００２８】
図６は、着信記憶部１４０が記憶しているデータをテーブル形式で示す図である。着信記憶部１４０は、ユーザ識別情報別（すなわちユーザ別）に、そのユーザの電話番号、そのユーザへの着信を示す情報、及び発信元の人物特定情報を互いに対応付けて記憶している。着信を示す情報には、電話番号、着信日時、及びユーザが通話したか否かを示す通話情報が含まれている。
【００２９】
図７は、図１に示したユーザ端末３００の構成を示すブロック図である。ユーザ端末３００は、履歴受信部３１０及び表示部３２０を備える。履歴受信部３１０は、通信管理装置１００から、人物特定情報別に分類されたメール及び着信情報の表示方法を示す表示方法情報、並びに人物特定情報別に分類されたメール及び着信情報を受信する。表示部３２０は、表示方法情報に基づいて、メール及び着信情報を人物特定情報別に表示する。
【００３０】
またユーザ端末３００は、さらに入力部３３０、メール送信部３４０、及び通話発信部３５０を備える。入力部３３０は、ユーザがユーザ端末３００に入力する情報を取得する。
【００３１】
メール送信部３４０は、入力部３３０に入力された情報に基づいて、送信すべきメールを作成し、作成したメールを、通信管理装置１００を介して他のユーザ端末３００または相手端末６００に送信する。このときメール送信部３４０は、メールの送信に必要な情報（例えば送信先のメールアドレス）を通信管理装置１００の通信先情報記憶部１１０から取得しても良い。
【００３２】
通話発信部３５０は、入力部３３０に入力された情報（例えば通話先の電話番号）に基づいて、電話端末５００に発信処理を行わせる。このとき通話発信部５００は、通信管理装置１００の通信先情報記憶部１１０から発信処理に必要な情報を取得しても良い。
【００３３】
なお、図２に示した通信管理装置１００及び図７に示したユーザ端末３００において、本質に関わらない部分の構成については図示及び説明を省略している。図２に示した通信管理装置１００及び図７に示したユーザ端末３００の各構成要素は、ハードウエア単位の構成ではなく、機能単位のブロックを示している。通信管理装置１００及びユーザ端末３００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置には様々な変形例があることは、当業者には理解されるところである。
【００３４】
図８は、通信管理装置１００がいずれかのユーザ宛のメールを受信したときの処理を示すフローチャートである。まず通信管理装置１００のメール処理部１３５は、受信したメールに含まれる送信先のメールアドレスを認識し、図５に示したテーブルであって認識したメールアドレスに対応するテーブルを、メール記憶部１３０から読み出す。次いでメール処理部１３５は、受信したメールの送信元のメールアドレス、受信日時、タイトルを示す文書データ、及び本文を示す文書データを読み出したテーブルに追加することにより、メール記憶部１３０が記憶しているデータを更新する（ステップＳ１０）。
【００３５】
次いで人物特定情報付与部１５０は、ステップＳ１０によって追加された送信元のメールアドレスを読み出し、読み出したメールアドレスに対応する人物特定情報を通信先情報記憶部１１０から読み出す。次いで人物特定情報付与部１５０は、読み出した人物特定情報を、ステップＳ１０によって追加されたメールに対応付けてメール記憶部１３０に記憶させる（ステップＳ２０）。
【００３６】
図９は、通信管理装置１００がいずれかのユーザ宛の着信を受けたときの処理を示すフローチャートである。着信時に電話中継部１４５が受信する情報には、発信元の電話番号及び着信先の電話番号が含まれている。
【００３７】
電話中継部１４５は、着信時に受信した情報に含まれる着信先の電話番号を認識し、図６に示したテーブルであって認識した着信先の電話番号に対応するテーブルを、着信記憶部１４０から読み出す。次いで電話中継部１４５は、読み出したテーブルに、着信時に受信した情報に含まれる発信元の電話番号、及び着信日時を追加することにより、着信記憶部１４０が記憶しているデータを更新する（ステップＳ１００）。
【００３８】
次いで電話中継部１４５は、着信先の電話番号が示す電話端末５００を呼び出す。ユーザが電話端末５００の呼び出しに応答して通話を開始した場合（ステップＳ１１０：Ｙｅｓ）、通話の中継処理を行う（ステップＳ１２０）。そして電話中継部１４５は、メール記憶部１３０から読み出したテーブルに、ユーザが通話したか否かを示す通話情報を記憶させる（ステップＳ１３０）。
【００３９】
次いで人物特定情報付与部１５０は、ステップＳ１００によって追加された発信元の電話番号を読み出し、読み出した電話番号に対応する人物特定情報を通信先情報記憶部１１０から読み出す。次いで人物特定情報付与部１５０は、読み出した人物特定情報を、ステップＳ１００によって追加された情報に対応付けて着信記憶部１４０に記憶させる（ステップＳ１４０）。
【００４０】
図１０は、ユーザ端末３００が着信情報及びメールを表示するときの通信管理装置１００及びユーザ端末３００の動作を示すフローチャートである。本図に示す動作を行う前に、ユーザ端末３００のユーザは、予め重要度情報記憶部１２０に重要度情報を記憶させておく。
【００４１】
まずユーザ端末３００の履歴受信部３１０は、入力部３３０から入力された指令に従って、通信管理装置１００に着信情報及びメールの履歴を示す履歴情報を要求する（ステップＳ２００）。この要求時に通信管理装置１００に送信される情報には、そのユーザのユーザ識別情報が含まれる。
【００４２】
通信管理装置１００の通信分類部１６０は、履歴情報の要求を受信すると、受信した情報に含まれるユーザ識別情報を認識し、図５に示したテーブルのうち、認識したユーザ識別情報に対応するテーブル（受信履歴）をメール記憶部１３０から読み出し、かつ図６に示したテーブルのうち、認識したユーザ識別情報に対応するテーブル（着信情報）を着信記憶部１４０から読み出す（ステップＳ２１０）。次いで、読み出した２つのテーブルに含まれる受信履歴及び着信履歴を、送信元又は発信元の人物特定情報別に分類する（ステップＳ２２０）。
【００４３】
次いで表示方法定義部１７０は、重要度記憶部１２０から、人物特定情報別の重要度情報を読み出し（ステップＳ２３０）、読み出した重要度情報に基づいて、人物特定情報別に分類されたメール及び着信情報の表示方法を定め、定めた表示方法を示す表示方法情報を生成する（ステップＳ２４０）。そして送信部１８０は、通信分類部１６０が人物特定情報別に分類したメール及び着信情報を、表示方法定義部１７０が生成した表示方法情報に対応付けてユーザ端末３００に送信する（ステップＳ２５０）。
【００４４】
ユーザ端末３００の履歴受信部３１０は、人物特定情報別に分類されたメール及び着信情報、並びに表示方法情報を受信する。表示部３２０は、履歴受信部３１０が受信した表示方法情報に従って、人物特定情報別に分類されたメール及び着信情報を表示する（ステップＳ２６０）。
【００４５】
図１１は、ユーザ端末３００の表示部３２０が表示する表示画面の一例を示す図である。まず表示部３２０は、複数の通信相手それぞれを選択可能に表示する。このとき、重要度情報が示す重要度が高いほど、相対的に大きく表示される。このため、ユーザ端末３００のユーザは、何れの通信相手が重要であるかを視覚的に把握することができる。そしてユーザは、図１１に示した画面において、通信履歴を確認したい通信相手を選択する。すると、表示部３２０は、選択された通信相手に対応するメール及び着信情報の履歴を表示する。
【００４６】
図１２は、ユーザ端末３００において表示された、メール及び着信情報の履歴の一例を示す図である。本図に示す例において、履歴表示欄３０１は、メールの履歴及び着信履歴が、メールであるか電話であるかによらず、時系列で一元的に表示している。そして、履歴表示欄３０１において、メールのタイトルを選択すると、そのメールの本文が表示される。
【００４７】
また履歴表示欄３０１と同一の画面には、メールボタン３０２及び電話ボタン３０３が含まれている。ユーザがメールボタン３０２を選択すると、図７に示したユーザ端末３００のメール送信部３４０が、選択されている通信相手に送信すべきメールの生成処理、及び生成したメールの送信処理を行う。またユーザが電話ボタン３０３を選択すると、図７に示したユーザ端末３００の通話発信部３５０が、電話端末５００に発信処理を行わせる。このとき、メール送信部３４０及び通話発信部３５０は、通信相手のメールアドレス及び電話番号を、例えば通信管理装置１００の通信先情報記憶部１１０に要求する。
【００４８】
次に、本実施形態の作用及び効果について説明する。本実施形態によれば、通信管理装置１００の表示方法定義部１７０は、人物特定情報別の重要度情報に基づいて、人物特定情報別に分類されたメール及び着信情報の表示方法を定め、定めた表示方法を示す表示方法情報を生成する。そしてユーザ端末３００の表示部３２０は、表示方法情報に従って、人物特定情報別に分類されたメール及び着信情報を表示する。重要性の高い人物特定情報に対応するメール及び着信情報は、重要性は高い。従って、ユーザ端末３００のユーザは、通信されてきた情報のうち、重要性の高い情報を優先的に選択して入手することができる。
【００４９】
また重要度情報は、ユーザがマニュアルで設定し、またマニュアルで更新することができる。従って、重要性が高いとユーザが判断している相手から送信されてきた情報を、優先的に選択して入手することができる。
【００５０】
図１３は、第２の実施形態に係る通信管理システムに用いられる通信管理装置１００の構成を示すブロック図である。本実施形態に係る通信管理システムは、通信管理装置１００が、入力部１２２の代わりに重要度情報生成部１２４を備えている点を除いて、第１の実施形態に係る通信管理システムと同様である。
【００５１】
重要度情報生成部１２４は、通信先情報記憶部１１０が記憶している通信相手の所在及び属性の少なくとも一方に基づいて、人物特定情報別の重要度情報を生成する。重要度情報生成部１２４は、属性に基づいて重要度情報を生成する場合、例えば「取引先」、「上司」、「同僚」の順に、重要度を高くする。また重要度情報生成部１２４は、所在に基づいて重要度情報を生成する場合、例えば「取引先」、「外出」、「在席」の順に、重要度を高くする。
【００５２】
本実施形態によっても、第１の実施形態と同様の効果を得ることができる。
【００５３】
図１４は、第３の実施形態にかかる通信管理システムに用いられる通信管理装置１００の構成を示すブロック図である。本実施形態に係る通信管理システムは、通信管理装置１００の重要度情報生成部１２４が行う処理を除いて、第２の実施形態に係る通信管理システムと同様である。
【００５４】
本実施形態において重要度情報生成部１２４は、メール記憶部１３０及び着信記憶部１４０に記憶されている人物特定情報別のメール及び着信情報の数に基づいて、人物特定情報別の重要度情報を生成する。重要度情報生成部１２４は、例えばメール及び着信情報の数が多い順に、重要度を高くする。重要度情報生成部１２４は、例えばメールの数と着信情報の数の合計数に基づいて重要度情報を生成するが、メールの数と着信情報の数のいずれか一方に基づいて重要度情報を生成しても良い。
【００５５】
本実施形態によっても、第２の実施形態と同様の効果を得ることができる。
【００５６】
図１５は、第４の実施形態にかかる通信管理システムに用いられる通信管理装置１００の構成を示すブロック図である。本実施形態に係る通信管理システムは、通信管理装置１００がキーワード記憶部１２５を備えている点、及び通信管理装置１００の重要度情報生成部１２４が行う処理を除いて、第２の実施形態に係る通信管理システムと同様である。
【００５７】
キーワード記憶部１２５は、重要度情報を生成するためのキーワードを少なくとも一つ記憶する。キーワード記憶部１２５が記憶しているキーワードは、例えばユーザがユーザ端末３００を介して入力する。
【００５８】
重要度情報生成部１２４は、メール記憶部１３０が記憶しているメールに含まれるキーワードの数を、人物特定情報別に集計し、この集計結果に基づいて人物特定情報別の重要度情報を生成する。例えば重要度情報生成部１２４は、キーワードの数が多いほど、重要度が高くなるようにする。メールに含まれるキーワードの数は、例えばメールのタイトルに含まれるキーワードの数であっても良いし、メールのタイトル及び本文に含まれるキーワードの数であっても良い。
【００５９】
本実施形態によっても、第２の実施形態と同様の効果を得ることができる。
【００６０】
図１６は、第５の実施形態に係る通信管理システムに用いられる通信管理装置１００の構成を示すブロック図である。本実施形態に係る通信管理システムは、以下の点を除いて、第１の実施形態にかかる通信管理システムと同様の構成である。
【００６１】
まずユーザ端末３００がインスタントメッセージ（以下、ＩＭと記載）機能を有している。
【００６２】
そして通信管理装置１００の通信先情報記憶部１１０は、第１の実施形態に示した情報に加えて、複数の通信相手それぞれのＩＭアドレスを人物特定情報に対応付けて記憶している。また通信管理装置１００は、メッセージ記憶部１９０を備える。メッセージ記憶部１９０は、ユーザに送信されたＩＭを、送信元のＩＭアドレスに対応付けて記憶する。人物特定情報付与部１５０は、メッセージ記憶部１９０が記憶しているＩＭに人物特定情報を付与する。通信分類部１６０は、人物特定情報別にメール、着信情報、及びＩＭを分類し、表示方法定義部１７０は、人物特定情報別に分類されたメール、着信情報、及びＩＭの表示方法を定める。
【００６３】
また通信管理装置１００は、ＩＭ受信部１９５を備える。ＩＭ受信部１９５は、ＩＭを受信したユーザ端末３００から、送信元のＩＭアドレス、送信先のＩＭアドレス（すなわちそのユーザ端末３００のＩＭアドレス）、及び本文を示す文書データを受信し、受信したデータをメッセージ記憶部１９０に記憶させる。
【００６４】
図１７は、通信先情報記憶部１１０が記憶しているデータをテーブル形式で示す図である。通信先情報記憶部１１０は、上記したように、第１の実施形態に示した情報に加えて、複数の通信相手それぞれのＩＭアドレスを人物特定情報に対応付けて記憶している。
【００６５】
図１８は、メッセージ記憶部１９０が記憶しているデータをテーブル形式で示す図である。メール記憶部１３０は、ユーザ識別情報別（すなわちユーザ別）に、そのユーザのＩＭアドレス、そのユーザに送信されてきたＩＭの送信元アドレス及び送信元の人物特定情報、受信日時、及び本文を示す文書データを互いに対応付けて記憶している。
【００６６】
図１９は、ユーザ端末３００の構成を示すブロック図である。本図に示すユーザ端末３００は、ＩＭ処理部３６０を備える点を除いて、第１の実施形態において図７に示したユーザ端末３００と同様の構成である。
【００６７】
ＩＭ処理部３６０は、ＩＭを受信して、受信したＩＭを表示部３２０に送信して表示させる。またＩＭ処理部３６０は、入力部３３０に入力された情報に従って、ＩＭを作成して他のユーザ端末３００に送信する。またＩＭ処理部３６０は、受信したＩＭの送信元のＩＭアドレス、そのユーザ端末３００のＩＭアドレス、及び本文を示す文書データを通信管理装置１００のＩＭ受信部１９５に送信する。
【００６８】
図２０は、通信管理装置１００がいずれかのユーザ端末３００から送信元のＩＭアドレス、送信先のＩＭアドレス、及び本文を示す文書データを受信したときの処理を示すフローチャートである。まず通信管理装置１００のＩＭ受信部１９５は、受信した送信先のＩＭアドレスを認識し、図１８に示したテーブルであって認識したＩＭアドレスに対応するテーブルを、メッセージ記憶部１９０から読み出す。次いでＩＭ受信部１９５は、読み出したテーブルに、受信した送信元のメールアドレス、受信日時、及び本文を示す文書データを追加することにより、メッセージ記憶部１９０が記憶しているデータを更新する（ステップＳ３００）。
【００６９】
次いで人物特定情報付与部１５０は、ステップＳ３００によって追加された送信元のＩＭアドレスを読み出し、読み出したＩＭアドレスに対応する人物特定情報を通信先情報記憶部１１０から読み出す。次いで人物特定情報付与部１５０は、読み出した人物特定情報を、ステップＳ３００によって追加されたデータに対応付けてメッセージ記憶部１９０に記憶させる（ステップＳ３１０）。
【００７０】
図２１は、ユーザ端末３００が着信情報、メール、及びＩＭの履歴を表示するときの通信管理装置１００及びユーザ端末３００の動作を示すフローチャートである。本図に示すフローチャートは、以下の点を除いて、第１の実施形態において図１０に示したフローチャートと同様である。
【００７１】
通信管理装置１００の通信分類部１６０は、履歴情報の要求を受信すると、受信履歴をメール記憶部１３０から読み出し、着信情報を着信記憶部１４０から読み出す。また通信分類部１６０は、メッセージ記憶部１９０から、図１８に示したテーブルであって、ステップＳ２００において送信された情報に含まれるユーザ識別情報に対応するテーブルを読み出す（ステップＳ２１０）。次いで通信分類部１６０は、読み出した３つのテーブルに含まれる受信履歴及び着信履歴を、送信元又は着信先の人物特定情報別に分類する（ステップＳ２２０）。
【００７２】
その後の処理は、送信部１８０が、人物特定情報別に分類されたメール、ＩＭの履歴、及び着信情報を、表示方法定義部１７０が生成した表示方法情報に対応付けてユーザ端末３００に送信する点（ステップＳ２５０）、及びユーザ端末３００の表示部３２０が、履歴受信部３１０が受信した表示方法情報に従って、人物特定情報別に分類されたメール、ＩＭの履歴、及び着信情報を表示する点（ステップＳ２６０）を除いて、図１０に示したフローチャートと同様である。
【００７３】
図２２は、ユーザ端末３００の表示部３２０が表示する表示画面の一例を示す図である。本図に示す表示画面は、第１の実施形態において図１２に示した表示画面に対応しており、履歴表示欄３０１にＩＭの履歴が含まれている点、及びＩＭボタン３０４が含まれている点を除いて、図１２に示した表示画面と同様である。ユーザがＩＭボタン３０４を選択すると、図１９に示したユーザ端末３００のＩＭ処理部３６０が、選択されている通信相手に送信すべきＩＭの生成処理、及び生成したＩＭの送信処理を行う。
【００７４】
本実施形態によっても、第１の実施形態と同様の効果を得ることができる。
【００７５】
図２３は、第６の実施形態に係る通信管理システムの構成を示す図であり、第１の実施形態における図１に相当する。本実施形態は、通信管理装置１００がユーザそれぞれごとに設けられており、第１〜第５の実施形態におけるユーザ端末３００の機能を有している点を除いて、第１〜第５の実施形態と同様である。
【００７６】
図２４は、本実施形態における通信管理装置１００の構成を示すブロック図である。本実施形態に係る通信管理装置１００は、以下の点を除いて、第１〜第５の実施形態に係る通信管理装置１００と同様の構成である。なお図２４は、第１の実施形態における通信管理装置１００との差を基に記載しているが、同様の変形を第１〜第５の実施形態に係る通信管理装置１００に加えても良い。
【００７７】
本実施形態において通信管理装置１００は、送信部１８０の代わりに表示部２００を備える。表示部２００は、第１〜第５の実施形態におけるユーザ端末３００の表示部３２０と同様の機能を有している。具体的には、表示部２００は、表示方法定義部１７０が定めた表示方法に従って、メール及び着信情報を人物特定情報別に表示する。
【００７８】
また通信管理装置１００は、メール送信部２１０及び通話発信部２２０を備えている。メール送信部２１０及び通話発信部２２０は、第１〜第５の実施形態におけるユーザ端末３００のメール送信部３４０及び通話発信部３５０と同様の機能を有している。そして入力部１２２は、第１〜第５の実施形態におけるユーザ端末３００の入力部３３０と同様の機能を有している。なおメール送信部２１０及び通話発信部２２０は、メール送信及び通話発信に必要な情報を、通信先情報記憶部１１０から読み出す。
【００７９】
また、メール処理部１３５は、その通信管理装置１００のユーザに送信されてきたメールを受信して送信元のメールアドレスに対応付けてメール記憶部１３０に記憶させる。
【００８０】
図２５は、通信管理装置１００が着信情報及びメールの履歴を表示するときの動作を示すフローチャートである。本図に示す動作は、以下の点を除いて、図１０又は図２１に示した処理と同様である。まず、履歴情報の要求処理（ステップＳ２００）がなく、その代わりに通信管理装置１００に対して履歴情報の要求を示すユーザ入力が行われる（ステップＳ２０２）。そして、表示方法情報の生成が行われた後（ステップＳ２４０）は、通信管理装置１００においてメール及び着信情報の表示が行われる（ステップＳ２６０）。
【００８１】
本実施形態によっても、第１の実施形態と同様の効果を得ることができる。
【００８２】
図２６は、第７の実施形態に係る通信管理システムに用いられる通信管理装置１００の構成を示すブロック図である。本実施形態は、以下の点を除いて第２の実施形態にかかる通信管理システムと同様の構成である。
【００８３】
まず重要度情報生成部１２４は、通信先情報記憶部１１０が記憶している通信相手の所在及び属性の少なくとも一方、並びにメール記憶部１３０及び着信記憶部１４０が記憶している人物特定情報別のメール及び着信情報の数を重要度情報の生成に用いる。本実施形態において、重要度情報は、通信相手の重要度を示す数値である。例えば重要度生成部１２４は、通信相手の所在及び属性それぞれに基づいて第１のポイントを生成する。そして重要度生成部１２４は、メール及び着信情報の数に基づいて第２のポイントを生成する。そして第１のポイント及び第２のポイントに、所定の重付係数を乗じた後に、これら２つのポイントを加算することにより、重要度情報を生成する。例えば重要度情報は、数値が高いほど重要度が高いことを示す。
【００８４】
表示方法定義部１７０は、予め重要度情報の範囲を示す数値（例えば閾値）を記憶している。この閾値は、例えばユーザの入力によって定義される。そして表示方法定義部１７０は、重要度情報が予め定められた範囲以外の数値（例えば閾値を超えているとき）を示している人物特定情報を選択する。表示方法定義部１７０は、選択した人物特定情報に分類されたメール及び着信情報がユーザ端末３００の表示画面の中で予め定められた位置３０５に表示されるように、表示方法情報を生成する。
【００８５】
そしてユーザ端末３００は、表示方法情報に従って表示を行う。
【００８６】
図２７は、ユーザ端末３００における表示画面の一例を示す図である。本図は、第１の実施形態における図１１に対応する図である。本図において、重要度情報が予め定められた範囲以外の値を示している通信相手は、他の通信相手とは別のルールで表示されている。具体的には、重要度情報が予め定められた範囲以外の値を示している通信相手については表示画面の左上に予め定められた大きさで表示されている。そして他の通信相手については、表示画面の中央部に重要度情報が示す重要度が高いほど、相対的に大きく表示されている。
【００８７】
本実施形態によっても、第２の実施形態と同様の効果を得ることができる。また、重要度情報が予め定められた範囲以外の値を示している通信相手（たとえば重要度が特別に高い相手）については、ユーザ端末３００の表示画面の中で予め定められた位置３０５に表示される。このため、ユーザ端末３００のユーザは、特別に対応が必要な通信相手に関する情報を容易に認識することができる。
【００８８】
以上、図面を参照して本発明の実施形態について述べたが、これらは本発明の例示であり、上記以外の様々な構成を採用することもできる。
【図面の簡単な説明】
【００８９】
【図１】第１の実施形態における通信管理システムの構成を示す図である。
【図２】通信管理装置の構成を示すブロック図である。
【図３】通信先情報記憶部が記憶しているデータをテーブル形式で示す図である。
【図４】重要度記憶部が記憶しているデータをテーブル形式で示す図である。
【図５】メール記憶部が記憶しているデータをテーブル形式で示す図である。
【図６】着信記憶部が記憶しているデータをテーブル形式で示す図である。
【図７】図１に示したユーザ端末の構成を示すブロック図である。
【図８】通信管理装置がいずれかのユーザ宛のメールを受信したときの処理を示すフローチャートである。
【図９】通信管理装置がいずれかのユーザ宛の着信を受けたときの処理を示すフローチャートである。
【図１０】ユーザ端末が着信情報及びメールを表示するときの通信管理装置及びユーザ端末の動作を示すフローチャートである。
【図１１】ユーザ端末の表示部が表示する表示画面の一例を示す図である。
【図１２】ユーザ端末において表示された、メール及び着信情報の履歴の一例を示す図である。
【図１３】第２の実施形態に係る通信管理システムに用いられる通信管理装置の構成を示すブロック図である。
【図１４】第３の実施形態にかかる通信管理システムに用いられる通信管理装置の構成を示すブロック図である。
【図１５】第４の実施形態にかかる通信管理システムに用いられる通信管理装置の構成を示すブロック図である。
【図１６】第５の実施形態にかかる通信管理システムに用いられる通信管理装置の構成を示すブロック図である。
【図１７】通信先情報記憶部が記憶しているデータをテーブル形式で示す図である。
【図１８】メッセージ記憶部が記憶しているデータをテーブル形式で示す図である。
【図１９】ユーザ端末の構成を示すブロック図である。
【図２０】通信管理装置がいずれかのユーザ端末から送信元のＩＭアドレス、送信先のＩＭアドレス、及び本文を示す文書データを受信したときの処理を示すフローチャートである。
【図２１】ユーザ端末が着信情報、メール、及びＩＭの履歴を表示するときの通信管理装置及びユーザ端末の動作を示すフローチャートである。
【図２２】ユーザ端末の表示部が表示する表示画面の一例を示す図である。
【図２３】第６の実施形態に係る通信管理システムの構成を示す図である。
【図２４】通信管理装置の構成を示すブロック図である。
【図２５】通信管理装置が着信情報及びメールの履歴を表示するときの動作を示すフローチャートである。
【図２６】第７の実施形態に係る通信管理装置の構成を示すブロック図である。
【図２７】ユーザ端末の表示部が表示する表示画面の一例を示す図である。
【符号の説明】
【００９０】
１０ 公衆通信網
１００ 通信管理装置
１１０ 通信先情報記憶部
１２０ 重要度記憶部
１２２ 入力部
１２４ 重要度情報生成部
１２５ キーワード記憶部
１３０ メール記憶部
１３５ メール処理部
１４０ 着信記憶部
１４５ 電話中継部
１５０ 人物特定情報付与部
１６０ 通信分類部
１７０ 表示方法定義部
１８０ 送信部
１９０ メッセージ記憶部
１９５ ＩＭ受信部
２００ 表示部
２１０  メール送信部
２２０ 通話発信部
３００ ユーザ端末
３０１ 履歴表示欄
３０２ メールボタン
３０３ 電話ボタン
３０４ ＩＭボタン
３１０ 履歴受信部
３２０ 表示部
３３０ 入力部
３４０ メール送信部
３５０ 通話発信部
３６０ ＩＭ処理部
５００ 電話端末
６００ 相手端末
【図１】
2010114726.tif 000003
【図２】
2010114726.tif 000004
【図３】
2010114726.tif 000005
【図４】
2010114726.tif 000006
【図５】
2010114726.tif 000007
【図６】
2010114726.tif 000008
【図７】
2010114726.tif 000009
【図８】
2010114726.tif 000010
【図９】
2010114726.tif 000011
【図１０】
2010114726.tif 000012
【図１１】
2010114726.tif 000013
【図１２】
2010114726.tif 000014
【図１３】
2010114726.tif 000015
【図１４】
2010114726.tif 000016
【図１５】
2010114726.tif 000017
【図１６】
2010114726.tif 000018
【図１７】
2010114726.tif 000019
【図１８】
2010114726.tif 000020
【図１９】
2010114726.tif 000021
【図２０】
2010114726.tif 000022
【図２１】
2010114726.tif 000023
【図２２】
2010114726.tif 000024
【図２３】
2010114726.tif 000025
【図２４】
2010114726.tif 000026
【図２５】
2010114726.tif 000027
【図２６】
2010114726.tif 000028
【図２７】
2010114726.tif 000029